(57)【特許請求の範囲】
【請求項１】
枠体と、障子を備え、障子は、見込方向一方側に向けて開くように枠体に納めてあり、障子と、枠体の吊元側縦枠の間に、隙間を設けてあり、吊元側縦枠に、一方側振動防止部材と他方側振動防止部材を設けてあり、一方側振動防止部材が、閉鎖時の障子の一方側見付面と離隔して対向しており、他方側振動防止部材が、閉鎖時の障子の他方側見付面と離隔して対向していることを特徴とする戸。
【請求項２】
枠体と、障子を備え、障子は、見込方向一方側に向けて開くように枠体に納めてあり、障子と、枠体の吊元側縦枠の間に、隙間を設けてあり、障子と吊元側縦枠にそれぞれ水切片を設けてあって、両水切片が見込方向にずらして配置してあり、吊元側縦枠に、振動防止部材を設けてあり、振動防止部材が、閉鎖時の障子の少なくとも何れか一方の見付面と離隔して対向していることを特徴とする戸。
【発明の詳細な説明】
【技術分野】
【０００１】
本発明は、浴室戸などとして用いられる、換気機能を有する戸に関する。
【背景技術】
【０００２】
従来、特許文献１に示すように、浴室戸において、換気のためのガラリを障子に設けたものがあった。
【先行技術文献】
【特許文献】
【０００３】
【特許文献１】特開２０１２−１９７６０５号公報
【発明の概要】
【発明が解決しようとする課題】
【０００４】
しかしながら、このような従来の浴室戸は、ガラリにホコリなどがたまりやすく、掃除やメンテナンスに手間がかかる点が問題であった。
【０００５】
本発明は、上記事情を鑑みたものであり、換気機能を有するものであって、掃除やメンテナンスが容易な戸を提供することを目的とする。
【課題を解決するための手段】
【０００６】
本発明のうち請求項１の発明は、枠体と、障子を備え、障子は、見込方向一方側に向けて開くように枠体に納めてあり、障子と、枠体の吊元側縦枠の間に、隙間を設けてあり、吊元側縦枠に、一方側振動防止部材と他方側振動防止部材を設けてあり、一方側振動防止部材が、閉鎖時の障子の一方側見付面と離隔して対向しており、他方側振動防止部材が、閉鎖時の障子の他方側見付面と離隔して対向していることを特徴とする。
【０００７】
本発明のうち請求項２の発明は、枠体と、障子を備え、障子は、見込方向一方側に向けて開くように枠体に納めてあり、障子と、枠体の吊元側縦枠の間に、隙間を設けてあり、障子と吊元側縦枠にそれぞれ水切片を設けてあって、両水切片が見込方向にずらして配置してあり、吊元側縦枠に、振動防止部材を設けてあり、振動防止部材が、閉鎖時の障子の少なくとも何れか一方の見付面と離隔して対向していることを特徴とする。
【発明の効果】
【０００８】
本発明のうち請求項１の発明によれば、障子と枠体の吊元側縦枠の間に設けた隙間が換気口となるものであって、縦枠に沿った縦長形状の換気口なのでホコリなどがたまりにくく、掃除やメンテナンスが容易である。また、一方側振動防止部材及び他方側振動防止部材によって、閉鎖時の障子を見込方向から挟んでいるので、障子を閉めた際の障子の振動を確実に抑制できる。さらに、両振動防止部材が閉鎖時の障子の見付面と離隔しているので、障子の開放初期及び閉鎖終期において抵抗がなく、開閉操作性が高いものであるとともに、両振動防止部材が換気口を塞がないので換気を阻害しない。
【０００９】
本発明のうち請求項２の発明によれば、障子と枠体の吊元側縦枠の間に設けた隙間が換気口となるものであって、縦枠に沿った縦長形状の換気口なのでホコリなどがたまりにくく、掃除やメンテナンスが容易である。また、振動防止部材によって、障子を閉めた際の障子の振動を抑制できる。さらに、振動防止部材が閉鎖時の障子の見付面と離隔しているので、障子の開放初期及び閉鎖終期において抵抗がなく、開閉操作性が高いものであるとともに、振動防止部材が換気口を塞がないので換気を阻害しない。また、見込方向にずらして設けた水切片によりジグザグ状の換気経路が形成されるので、換気口からの漏水を防止できる。
【図面の簡単な説明】
【００１０】
【図１】第一実施形態の吊元側（振動防止部材部分）の拡大横断面図である。
【図２】第一実施形態の振動防止部材部分の斜視図である。
【図３】第一実施形態の浴室側正面図である。
【図４】第一実施形態の横断面図である。
【図５】第一実施形態の縦断面図である。
【図６】第一実施形態の吊元側（タイト材部分）の拡大横断面図である。
【図７】第一実施形態のタイト材部分の斜視図である。
【図８】第二実施形態の吊元側（振動防止部材部分）の拡大横断面図である。
【図９】第二実施形態の浴室側正面図である。
【図１０】第二実施形態の横断面図である。
【図１１】第二実施形態の縦断面図である。
【発明を実施するための形態】
【００１１】
以下、本発明の実施の形態を図面に基づいて説明する。この戸の第一実施形態は、浴室と脱衣室を仕切る浴室戸として用いられるものである。なお、以下においては、浴室側が見込方向一方側、脱衣室側が見込方向他方側に相当する。図３〜図５に示すように、浴室と脱衣室を繋ぐ躯体開口部に、吊元側縦枠３、戸先側縦枠１１及び上下の横枠１２，１３を四周枠組みした枠体１を設けてあり、枠体１の内周に障子２を納めてある。障子２は、吊元側縦框７と、戸先側縦框２１と、上下の横框２２，２３を四周框組みした内周側にパネル２４を嵌め込んで形成したものであり、吊元側縦框７に設けた回転軸８によって、垂直軸周りに回動自在であって、浴室側（見込方向一方側）に向けて開くように取り付けてある。なお、この回転軸８は、障子２の上下に取り付けたピポットヒンジからなるものであり、枠体１と障子２とは、障子２の吊元側の上下端部のみにおいて連結されている。
【００１２】
そして、図４に示すように、戸先側縦枠１１には、浴室側を向いた戸先タイト材１４を設けてある。戸先タイト材１４は、戸先側縦枠１１の全長にわたって延びていて、閉鎖時の障子２の、戸先側縦框２１の脱衣室側見付面に当接する。また、図５に示すように、上下の横枠１２，１３には、それぞれ浴室側を向いた上タイト材１５と下タイト材１６を設けてある。上タイト材１５は、上側の横枠１２の全長にわたって延びていて、閉鎖時の障子２の、上側の横框２２の脱衣室側見付面に当接し、下タイト材１６は、下側の横枠１３の全長にわたって延びていて、閉鎖時の障子２の、下側の横框２３の脱衣室側見付面に当接する。このように、障子２の閉鎖時において、戸先側、上側及び下側では、障子２と枠体１とがタイト材を介して密接し、隙間が塞がれている。
【００１３】
これに対し、吊元側においては、図１に示すように、障子２の吊元側縦框７と、枠体１の吊元側縦枠３の間に、隙間４を設けてある。この隙間４は、障子２の閉鎖状態、開放状態及びそれらの中間状態の何れの状態においても、塞がれることなく確保されており、換気口として機能している。以下、閉鎖時の状態（図１において実線で表示）に基づいて、より詳しく説明する。
【００１４】
障子２の吊元側縦框７は、上下に延びる断面略矩形のアルミ形材からなる。ただし、断面形状において、外周側（図１の左側）の見込方向両端部（浴室側と脱衣室側の角部）は、丸みを付けた形状（丸く面取りした形状）となっている。以下において、障子２の見付面とは、吊元側縦框７の見付方向に平行な面のみならず、この丸みを付けた部分まで含むものとする。図１において、障子２の一方側見付面（吊元側縦框７の浴室側の見付面）と他方側見付面（吊元側縦框７の脱衣室側の見付面）の範囲を、一点鎖線により示す。また、吊元側縦框７の内周側見込面の浴室側寄りの位置には、パネル取付溝７１を設けてあり、パネル取付溝７１に、グレイジングチャンネル２５を取り付けたパネル２４の端部を挿入してある。さらに、吊元側縦框７の外周側見込面の見込方向中央部には、断面略Ｃ字形の水切片取付溝７２を設けてある。そして、水切片取付溝７２に、樹脂製の水切部材７３を取り付けてあり、水切部材７３に、外周側に向けて突出する障子側水切片７４を設けてある。また、回転軸８は、吊元側縦框７の見込方向及び見付方向の中心よりも、浴室側（見込方向一方側）かつ外周側（吊元側縦枠３側）にずれた位置に設けてある。
【００１５】
一方、枠体１の吊元側縦枠３は、見込方向に延びる見込壁３１と、見込壁３１の外周側の浴室側端に形成した断面略矩形の中空部３２を有しており、中空部３２を躯体にネジ止めしてある。さらに、見込壁３１の内周側面には、内周側に向けて延びる浴室側片３３、枠体側水切片３４及び脱衣室側片３５を設けてある。浴室側片３３は、障子２の吊元側縦框７よりも浴室側に位置しており、その先端（内周側端）は、内外周方向において、障子側水切片７４の先端と障子２の吊元側縦框７の外周側見込面の中間位置まで延びている。また、枠体側水切片３４は、障子側水切片７４よりも脱衣室側で、吊元側縦框７の外周側見込面に対向する位置に設けてあり、両水切片が見込方向にずらして配置してある。そしてその先端（内周側端）は、内外周方向において、障子側水切片７４の先端位置まで延びている。さらに、脱衣室側片３５は、障子２の吊元側縦框７よりも脱衣室側に位置しており、その先端（内周側端）は、内外周方向において、障子２の吊元側縦框７の外周側見込面よりも内周側まで延びている。
【００１６】
そして、図１〜図３に示すように、吊元側縦枠３には、樹脂製の一方側振動防止部材５と他方側振動防止部材６を設けてある。一方側振動防止部材５と他方側振動防止部材６は、何れも上下長さが１０ｃｍ程度の、吊元側縦枠３よりも短い部材であって、吊元側縦枠３の上下方向中央部に取り付けてある。一方側振動防止部材５は、断面略Ｌ字形のものであって、見込方向に延びる取付部５１と、取付部５１の浴室側端から内周側に向けて延びる延出部５２を有している。取付部５１は、吊元側縦枠３の浴室側片３３と枠体側水切片３４の間に納まるもので、図２に示すように、上下二つのネジ孔を設けてある。そして、取付部５１を見込壁３１に当接させ、延出部５２を浴室側片３３に当接させて、取付部５１を見込壁３１にネジ止めしてある。図１に示すように、延出部５２は、見込方向において、吊元側縦框７の浴室側の見付面に跨って位置しており、内外周方向には吊元側縦枠３の浴室側片３３よりも長い。そして、その先端部は、脱衣室側から浴室側にかけて、内周側向きに傾斜しており、閉鎖時の障子２の吊元側縦框７の浴室側（一方側）の見付面（外周側端の丸みを付けた部分）と数ｍｍ程度離隔して対向する対向部５３となっていて、吊元側縦框７の浴室側の見付面と内外周方向に重なっている。なお、対向部５３は、軟質の樹脂からなり、対向部５３以外の部分（取付部５１及び延出部５２）は硬質の樹脂からからなるものであって、全体が一体に形成されている。また、他方側振動防止部材６は、断面略Ｌ字形のものであって、見込方向に延びる取付部６１と、取付部６１の脱衣室側端から内周側に向けて延びる延出部６２を有しており、延出部６２は先端が浴室側に屈曲している。取付部６１は、吊元側縦枠３の脱衣室側片３５と枠体側水切片３４の間に納まるもので、図２に示すように、上下二つのネジ孔を設けてある。そして、取付部６１を見込壁３１に当接させ、延出部６２を脱衣室側片３５に当接させて、取付部６１を見込壁３１にネジ止めしてある。図１に示すように、延出部６２は、見込方向において、吊元側縦框７の脱衣室側の見付面よりも脱衣室側に位置しており、内外周方向には吊元側縦枠３の脱衣室側片３５と略同じ長さである。そして、その先端部は、外周側から内周側にかけて、脱衣室側向きに傾斜しており、閉鎖時の障子２の吊元側縦框７の脱衣室側（他方側）の見付面（外周側端の丸みを付けた部分）と数ｍｍ程度離隔して対向する対向部６３となっていて、吊元側縦框７の脱衣室側の見付面と内外周方向に重なっている。なお、対向部６３は、軟質の樹脂からなり、対向部６３以外の部分（取付部６１及び延出部６２）は硬質の樹脂からからなるものであって、全体が一体に形成されている。
【００１７】
このように、吊元側縦枠３に一方側振動防止部材５と他方側振動防止部材６を取り付けてあり、障子２の閉鎖時において、一方側振動防止部材５の対向部５３と、他方側振動防止部材６の対向部６３が、障子２の吊元側縦框７の見付面と離隔しつつ、僅かな隙間を隔てて対向しており、吊元側縦框７を見込方向から挟んでいる。また、図１において二点鎖線で示すように、障子２の開放時においても、一方側振動防止部材５と他方側振動防止部材６は、障子２の吊元側縦框７に接触しておらず、さらに、閉鎖状態と開放状態の中間状態においても、一方側振動防止部材５と他方側振動防止部材６は、障子２の吊元側縦框７に接触していない。このように、障子２の吊元側縦框７と枠体１の吊元側縦枠３の間の隙間４が、常時塞がれることなく確保されている。なお、障子２の回転軸８が、吊元側縦框７の見込方向及び見付方向の中心よりも、浴室側かつ外周側にずれた位置に設けてあることにより、開放状態から障子２を閉鎖する際、障子２の吊元側端部（吊元側縦框７の外周側部分）が、一方側振動防止部材５と他方側振動防止部材６に接触することなく、両振動防止部材５，６の間に浴室側（一方側）から入り込む。
【００１８】
また、図５〜図７に示すように、吊元側縦枠３には、タイト材９を設けてある。タイト材９は、上下長さが１０ｃｍ程度の、吊元側縦枠３よりも短い部材であって、吊元側縦枠３の上下端部に、保持具１０を介して取り付けてある。上下のタイト材９及び保持具１０は、上下反転させた同形状のものである。保持具１０は、断面略Ｌ字形のものであって、見込方向に延びる取付部１０１と、取付部１０１の脱衣室側端から内周側に向けて延びる延出部１０２を有しており、延出部６２の先端の浴室側面に、タイト材９を取り付けてある。取付部１０１は、吊元側縦枠３の脱衣室側片３５と枠体側水切片３４の間に納まるもので、図７に示すように（下側のタイト材９及び保持具１０を示す）、上下二つのネジ孔を設けてある。そして、取付部１０１を見込壁３１に当接させ、延出部１０２を脱衣室側片３５に当接させて、取付部１０１を見込壁３１にネジ止めしてある。図６に示すように、延出部１０２は、見込方向において、吊元側縦框７の脱衣室側の見付面よりも脱衣室側に位置しており、内外周方向には吊元側縦枠３の脱衣室側片３５と略同じ長さである。そして、その先端に取り付けたタイト材９は、閉鎖時の障子２の吊元側縦框７の脱衣室側（他方側）の見付面（外周側端の丸みを付けた部分）に当接している。よって、障子２の閉鎖時においては、吊元側縦框７と吊元側縦枠３の間の隙間４の上下端部のみが、タイト材９によって塞がれている。
【００１９】
このように構成した戸の第一実施形態は、障子２の吊元側縦框７と枠体１の吊元側縦枠３の間に設けた隙間４が換気口となるものであって、縦枠に沿った縦長形状の換気口なのでホコリなどがたまりにくく、掃除やメンテナンスが容易である。障子２は上下のピポットヒンジからなる回転軸８により枠体１に連結されているので、中間に丁番などが存在せず、隙間４の全長が換気口として機能する。また、一方側振動防止部材５の対向部５３及び他方側振動防止部材６の対向部６３によって、閉鎖時の障子２の吊元側縦框７を見込方向から挟んでおり、各対向部５３，６３が、障子２を閉めた際の衝撃によって見込方向に撓んだ吊元側縦框７に当接することで、障子２の見込方向の振動を確実に抑制できる。そして、各対向部５３，６３は軟質の樹脂からなるので、振動を吸収しやすく、障子２の閉鎖時の吊元側縦框７の衝突音も低減できる。さらに、両振動防止部材５，６が閉鎖時の障子２の吊元側縦框７の見付面と離隔しているので、障子２の開放初期及び閉鎖終期において抵抗がなく、開閉操作性が高いものであるとともに、両振動防止部材５，６が換気口を塞がないので換気を阻害しない。また、障子２の回転軸８が、吊元側縦框７の見込方向及び見付方向の中心よりも、浴室側かつ外周側にずれた位置に設けてあることにより、開放状態から障子２を閉鎖する際、障子２の吊元側端部（吊元側縦框７の外周側部分）が、一方側振動防止部材５と他方側振動防止部材６に接触することなく、両振動防止部材５，６の間に浴室側から入り込むので、開閉の途中においても抵抗がなく、より開閉操作性が高い。さらに、障子２の吊元側縦框７に障子側水切片７４を設けてあり、枠体１の吊元側縦枠３に枠体側水切片３４を設けてあって、両水切片７４，３４が見込方向にずらして配置してあるので、換気経路がジグザグ状に形成され、浴室側からシャワー散水したような場合であっても、脱衣室側に漏水することを防止できる。また、障子２の閉鎖時において、隙間４の上下端部のみはタイト材９によって塞がれており、特に天井面や床面を伝って換気口から漏水することを防いでいる。さらに、一方側振動防止部材５と他方側振動防止部材６は、何れも取付部５１，６１と延出部５２，６２からなる断面略Ｌ字形で、取付部５１，６１を吊元側縦枠３の見込壁３１にネジ止めしてあり、取付部５１，６１の外部側（一方側振動防止部材５における浴室側、他方側振動防止部材６における脱衣室側）に延出部５２，６２が位置しているので、外部からは取付部５１，６１のネジ止め部分が見えにくく、意匠性が良好である。
【００２０】
次に、本発明の戸の第二実施形態について説明する。第二実施形態も浴室と脱衣室を仕切る浴室戸として用いられるものである。図８〜図１１に示すように、浴室と脱衣室を繋ぐ躯体開口部に、吊元側縦枠３、戸先側縦枠１１及び上下の横枠１２，１３を四周枠組みした枠体１を設けてあり、枠体１の内周に、吊元側と戸先側の二枚の障子２ａ，２ｂを納めてある。二枚の障子２ａ，２ｂは、何れも吊元側縦框７ａ，７ｂと、戸先側縦框２１ａ，２１ｂと、上下の横框２２ａ，２２ｂ，２３ａ，２３ｂを四周框組みした内周側にパネル２４ａ，２４ｂを嵌め込んで形成したものであり、吊元側の障子２ａの戸先側縦框２１ａと、戸先側の障子２ｂの吊元側縦框７ｂを回動自在に連結してある。そして、吊元側の障子２ａの吊元側縦框７ａに設けた回転軸８によって、両障子２ａ，２ｂが浴室側（見込方向一方側）に向けて折れつつ開くように取り付けてある。なお、この回転軸８は、障子２ａの上下に取り付けたピポットヒンジからなるものである。
【００２１】
そして、第一実施形態と同様に、戸先側縦枠１１、上側の横枠１２及び下側の横枠１３には、それぞれ戸先タイト材１４、上タイト材１５及び下タイト材１６を設けてあり、障子２ａ，２ｂの閉鎖時において、戸先側、上側及び下側では、障子２ａ，２ｂと枠体１とがタイト材を介して密接し、隙間が塞がれている。
【００２２】
これに対し、吊元側においては、図８に示すように、閉鎖時における吊元側の障子２ａの吊元側縦框７ａと、枠体１の吊元側縦枠３の間に、隙間４を設けてあり、この隙間４は、換気口として機能している。以下、閉鎖時の状態（図８において実線で表示）に基づいて、より詳しく説明する。
【００２３】
吊元側の障子２ａの吊元側縦框７ａは、上下に延びる断面略矩形のアルミ形材からなる。ただし、断面形状において、外周側（図８の左側）は円弧状に形成されており、さらに浴室側面及び脱衣室側面が外周側に延出した形状となっている。以下において、障子２ａの見付面とは、吊元側縦框７ａのこの延出した部分まで含むものとする。図８において、障子２ａの一方側見付面（吊元側縦框７ａの浴室側の見付面）と他方側見付面（吊元側縦框７ａの脱衣室側の見付面）の範囲を、一点鎖線により示す。また、吊元側縦框７ａの内周側見込面の浴室側寄りの位置には、パネル取付溝７１を設けてあり、パネル取付溝７１に、グレイジングチャンネル２５ａを取り付けたパネル２４ａの端部を挿入してある。さらに、浴室側面から外周側に延出した部分を、障子側水切片７４としてある。また、回転軸８は、吊元側縦框７ａの見込方向の中央で、かつ見付方向の中心よりも外周側（吊元側縦枠３側）にずれた位置に設けてある。
【００２４】
一方、枠体１の吊元側縦枠３は、見込方向に延びる見込壁３１と、見込壁３１の外周側の浴室側端に形成した断面略矩形の中空部３２を有しており、中空部３２を躯体にネジ止めしてある。さらに、見込壁３１の内周側面には、内周側に向けて延びる枠体側水切片３４及び脱衣室側片３５を設けてある。枠体側水切片３４は、障子側水切片７４よりも脱衣室側で、吊元側縦框７ａの外周側見込面に対向する位置に設けてあり、両水切片が見込方向にずらして配置してある。そしてその先端（内周側端）は、内外周方向において、障子側水切片７４の先端位置よりも外周側の位置まで延びている。また、脱衣室側片３５は、障子２ａの吊元側縦框７ａよりも脱衣室側に位置しており、その先端（内周側端）は、内外周方向において、障子２ａの吊元側縦框７ａの外周側見込面よりも内周側まで延びている。さらに、見込壁３１の内周側面の浴室側端部には、内周側を向いた浴室側タイト材３６を設けてある。浴室側タイト材３６は、障子２ａの吊元側縦框７ａよりも浴室側に位置しており、閉鎖時の吊元側縦框７ａとは接しておらず、開放時の吊元側縦框７ａの見付面に当接するものである。
【００２５】
そして、図８に示すように、吊元側縦枠３には、樹脂製の一方側振動防止部材５と他方側振動防止部材６を設けてある。一方側振動防止部材５と他方側振動防止部材６は、何れも上下長さが１０ｃｍ程度の、吊元側縦枠３よりも短い部材であって、吊元側縦枠３の上下方向中央部に取り付けてある。一方側振動防止部材５は、断面略Ｌ字形のものであって、見込方向に延びる取付部５１と、取付部５１の浴室側端から内周側に向けて延びる延出部５２を有している。取付部５１は、吊元側縦枠３の浴室側タイト材３６と枠体側水切片３４の間に納まるもので、上下二つのネジ孔を設けてある。そして、取付部５１を見込壁３１に当接させてネジ止めしてある。延出部５２は、見込方向において、吊元側縦框７ａの浴室側の見付面よりも浴室側に位置しており、内外周方向において、障子側水切片７４の先端位置よりも内周側の位置まで延びている。よって、その先端部の脱衣室側部分が、閉鎖時の障子２ａの吊元側縦框７ａの浴室側（一方側）の見付面と数ｍｍ程度離隔して対向する対向部５３となっていて、吊元側縦框７ａの浴室側の見付面と内外周方向に重なっている。なお、対向部５３は、軟質の樹脂からなり、対向部５３以外の部分（取付部５１及び延出部５２）は硬質の樹脂からからなるものであって、全体が一体に形成されている。また、他方側振動防止部材６は、断面略Ｌ字形のものであって、見込方向に延びる取付部６１と、取付部６１の脱衣室側端から内周側に向けて延びる延出部６２を有しており、延出部６２は先端が浴室側に屈曲している。取付部６１は、吊元側縦枠３の脱衣室側片３５と枠体側水切片３４の間に納まるもので、上下二つのネジ孔を設けてある。そして、取付部６１を見込壁３１に当接させ、延出部６２を脱衣室側片３５に当接させて、取付部６１を見込壁３１にネジ止めしてある。延出部６２は、見込方向において、吊元側縦框７ａの脱衣室側の見付面よりも脱衣室側に位置しており、内外周方向には吊元側縦枠３の脱衣室側片３５と略同じ長さである。そして、その先端部は、閉鎖時の障子２ａの吊元側縦框７ａの脱衣室側（他方側）の見付面と数ｍｍ程度離隔して対向する対向部６３となっていて、吊元側縦框７ａの脱衣室側の見付面と内外周方向に重なっている。なお、対向部６３は、軟質の樹脂からなり、対向部６３以外の部分（取付部６１及び延出部６２）は硬質の樹脂からからなるものであって、全体が一体に形成されている。
【００２６】
このように、吊元側縦枠３に一方側振動防止部材５と他方側振動防止部材６を取り付けてあり、障子２ａ，２ｂの閉鎖時において、一方側振動防止部材５の対向部５３と、他方側振動防止部材６の対向部６３が、障子２ａの吊元側縦框７ａの見付面と離隔しつつ、僅かな隙間を隔てて対向しており、吊元側縦框７ａを見込方向から挟んでいる。また、図８において二点鎖線で示すように、障子２ａ，２ｂの開放時においても、一方側振動防止部材５と他方側振動防止部材６は、障子２ａの吊元側縦框７ａに接触しておらず、さらに、閉鎖状態と開放状態の中間状態においても、一方側振動防止部材５と他方側振動防止部材６は、障子２ａの吊元側縦框７ａに接触していない。なお、障子２ａの回転軸８が、吊元側縦框７ａの見付方向の中心よりも外周側にずれた位置に設けてあり、かつ吊元側縦框７ａの浴室側の見付面（障子側水切片７４）が吊元側縦框７ａの外周側見込面よりも外周側に突出していることにより、開放状態から障子２ａ，２ｂを閉鎖する際、障子２ａの吊元側端部（吊元側縦框７ａの外周側部分）が、一方側振動防止部材５と他方側振動防止部材６に接触することなく、両振動防止部材５，６の間に浴室側（一方側）から入り込む。
【００２７】
また、第一実施形態と同様に、吊元側縦枠３の上下端部にタイト材（図示省略）を設けてあり、障子２ａ，２ｂの閉鎖時においては、吊元側縦框７ａと吊元側縦枠３の間の隙間４の上下端部のみが、タイト材によって塞がれている。
【００２８】
このように構成した戸の第二実施形態は、障子２ａの吊元側縦框７ａと枠体１の吊元側縦枠３の間に設けた隙間４が換気口となるものであって、縦枠に沿った縦長形状の換気口なのでホコリなどがたまりにくく、掃除やメンテナンスが容易である。障子２ａは上下のピポットヒンジからなる回転軸８により枠体１に連結されているので、中間に丁番などが存在せず、隙間４の全長が換気口として機能する。また、一方側振動防止部材５の対向部５３及び他方側振動防止部材６の対向部６３によって、閉鎖時の障子２ａの吊元側縦框７ａを見込方向から挟んでおり、各対向部５３，６３が、障子２ａを閉めた際の衝撃によって見込方向に撓んだ吊元側縦框７ａに当接することで、障子２ａの見込方向の振動を確実に抑制できる。そして、各対向部５３，６３は軟質の樹脂からなるので、振動を吸収しやすく、障子２ａの閉鎖時の吊元側縦框７ａの衝突音も低減できる。さらに、両振動防止部材５，６が閉鎖時の障子２ａの吊元側縦框７ａの見付面と離隔しているので、障子２ａの開放初期及び閉鎖終期において抵抗がなく、開閉操作性が高いものであるとともに、両振動防止部材５，６が換気口を塞がないので換気を阻害しない。また、障子２ａの回転軸８が、吊元側縦框７ａの見付方向の中心よりも外周側にずれた位置に設けてあり、かつ吊元側縦框７ａの浴室側の見付面（障子側水切片７４）が吊元側縦框７ａの外周側見込面よりも外周側に突出していることにより、開放状態から障子２ａ，２ｂを閉鎖する際、障子２ａの吊元側端部（吊元側縦框７ａの外周側部分）が、一方側振動防止部材５と他方側振動防止部材６に接触することなく、両振動防止部材５，６の間に浴室側から入り込むので、開閉の途中においても抵抗がなく、より開閉操作性が高い。さらに、障子２ａの吊元側縦框７ａに障子側水切片７４を設けてあり、枠体１の吊元側縦枠３に枠体側水切片３４を設けてあって、両水切片７４，３４が見込方向にずらして配置してあるので、換気経路がジグザグ状に形成され、浴室側からシャワー散水したような場合であっても、脱衣室側に漏水することを防止できる。また、障子２ａ，２ｂの閉鎖時において、隙間４の上下端部のみはタイト材によって塞がれており、特に天井面や床面を伝って換気口から漏水することを防いでいる。さらに、一方側振動防止部材５と他方側振動防止部材６は、何れも取付部５１，６１と延出部５２，６２からなる断面略Ｌ字形で、取付部５１，６１を吊元側縦枠３の見込壁３１にネジ止めしてあり、取付部５１，６１の外部側（一方側振動防止部材５における浴室側、他方側振動防止部材６における脱衣室側）に延出部５２，６２が位置しているので、外部からは取付部５１，６１のネジ止め部分が見えにくく、意匠性が良好である。
【００２９】
本発明は、上記の実施形態に限定されない。たとえば、両振動防止部材は、障子の見付面と離隔して対向する部分を有するものであればよく、形状や枠体への取付方法はどのようなものであってもよい。また、振動防止部材は、少なくとも、閉鎖時において障子と離隔するものであれよく、それ以外の状態においては接触するものであってもよい。さらに、振動防止部材は、浴室側と脱衣室側の何れか一方にのみ設けるものであってもよい。
【符号の説明】
【００３０】
１  枠体
２  障子
３  吊元側縦枠
４  隙間
５  一方側振動防止部材
６  他方側振動防止部材
３４  枠体側水切片
７４  障子側水切片
【図１】
0006489995.tif 000002
【図２】
0006489995.tif 000003
【図３】
0006489995.tif 000004
【図４】
0006489995.tif 000005
【図５】
0006489995.tif 000006
【図６】
0006489995.tif 000007
【図７】
0006489995.tif 000008
【図８】
0006489995.tif 000009
【図９】
0006489995.tif 000010
【図１０】
0006489995.tif 000011
【図１１】
0006489995.tif 000012